(57)【要約】【構成】ＤＶＤ３４に記録されたコンテンツについて、操作パネル５６によって任意のシーンが指定されると、このシーンの再生が制限される。具体的には、コンテンツの音声に代えてビープ音がテレビジョン受像機５２のスピーカから出力され、テレビジョン受像機５２のモニタ画面から出力される映像にモザイクがかけられる。【効果】暴力シーンなどの子供にふさわしくないシーンがコンテンツに含まれるときでも、当該コンテンツを安心して鑑賞することができる。【選択図】  図１
2004274188.tif 000002
【特許請求の範囲】
【請求項１】
記録媒体に記録されたコンテンツを再生するコンテンツ再生装置において、
前記コンテンツに含まれる任意のシーンを指定する指定手段、および
前記指定手段によって指定されたシーンの再生を制限する制限手段を備えることを特徴とする、コンテンツ再生装置。
【請求項２】
前記コンテンツは映像成分を含み、
前記制限手段は前記映像成分に特殊効果処理を施す映像制限手段を含む、請求項１記載のコンテンツ再生装置。
【請求項３】
前記コンテンツは音声成分を含み、
前記制限手段は前記音声成分に代えて所定音声成分を再生する音声制限手段を含む、請求項１または２記載のコンテンツ再生装置。
【請求項４】
前記制限手段は前記シーンをスキップするスキップ手段をさらに含む、請求項１ないし３のいずれかに記載のコンテンツ再生装置。
【請求項５】
前記指定手段によって指定された複数のシーンのうち任意のシーンの制限を解除する解除手段をさらに備える、請求項１ないし４のいずれかに記載のコンテンツ再生装置。
【請求項６】
前記コンテンツが特殊再生されるとき前記制限手段による制限を禁止する禁止手段をさらに備える、請求項１ないし５のいずれかに記載のコンテンツ再生装置。
【発明の詳細な説明】
【０００１】
【発明の属する技術分野】
この発明は、コンテンツ再生装置に関し、特にたとえばビデオレコーダに適用され、記録媒体に記録されたコンテンツを再生するコンテンツ再生装置に関する。
【０００２】
【従来技術】
従来のコンテンツ再生装置としては、再生操作に応答して映画などの映像コンテンツを再生し、停止操作に応答して再生を停止するものがあった。
【０００３】
【発明が解決しようとする課題】
しかし、映像コンテンツには暴力シーンなどの子供の視聴にふさわしくないシーンも含まれる。にも関わらず、従来技術では、シーンに関係なくコンテンツが無制限に再生されていたため、コンテンツを安心して鑑賞することができなかった。
【０００４】
それゆえに、この発明の主たる目的は、コンテンツを安心して鑑賞することができる、コンテンツ再生装置を提供することである。
【０００５】
【課題を解決するための手段】
この発明に従うコンテンツ再生装置は、記録媒体に記録されたコンテンツを再生するコンテンツ再生装置において、コンテンツに含まれる任意のシーンを指定する指定手段、および指定手段によって指定されたシーンの再生を制限する制限手段を備えることを特徴とする。
【０００６】
【作用】
記録媒体に記録されたコンテンツについて、指定手段によって任意のシーンが指定されると、このシーンの再生が制限手段によって制限される。任意のシーンの再生が制限されるため、コンテンツを安心して鑑賞することができる。
【０００７】
コンテンツが映像成分を含む場合、制限手段は映像成分に特殊効果処理を施すようにしてもよい。また、コンテンツが音声成分を含む場合、制限手段は当該音声成分に代えて所定音声成分を再生するようにしてもよい。さらに、制限手段はシーンをスキップするようにしてもよい。
【０００８】
好ましくは、指定手段によって指定された複数のシーンのうち、任意のシーンの制限を解除できるようにすれば、操作性が向上する。
【０００９】
コンテンツを特殊再生するときに制限手段による制限を禁止するようにすれば、制限されたシーンの内容を簡便に把握することができる。
【００１０】
【発明の効果】
この発明によれば、任意のシーンの再生を制限するようにしたため、コンテンツを安心して鑑賞することができる。
【００１１】
この発明の上述の目的，その他の目的，特徴および利点は、図面を参照して行う以下の実施例の詳細な説明から一層明らかとなろう。
【００１２】
【実施例】
図１を参照して、この実施例のビデオレコーダ１０は、アナログ受信機１２を含む。アナログ受信機１２は、アンテナ（図示せず）から高周波テレビジョン信号を受け、所望のチャネルのコンポジットビデオ信号およびオーディオ信号を出力する。コンポジットビデオ信号はＮＴＳＣデコーダ１４に与えられ、オーディオ信号はＡ／Ｄ変換器１６に与えられる。
【００１３】
ＮＴＳＣデコーダ１４は、与えられたコンポジットビデオ信号をデコードしてビデオデータを生成し、生成したビデオデータをＬＳＩ１８に設けられたＭＰＥＧビデオエンコーダ２０に与える。一方、Ａ／Ｄ変換器１６は、与えられたオーディオ信号にＡ／Ｄ変換を施し、オーディオデータをＭＰＥＧオーディオエンコーダ２４に与える。ビデオデータは、ＭＰＥＧビデオエンコーダ２０の符号化処理によってビデオＥＳに変換され、変換されたビデオＥＳは、パケット化回路２２のパケット化処理によってビデオＰＥＳパケットに変換される。オーディオデータは、ＭＰＥＧオーディオエンコーダ２４の符号化によってオーディオＥＳに変換され、オーディオＥＳはパケット化回路２６のパケット化によってオーディオＰＥＳパケットに変換される。
【００１４】
マルチプレクサ２８は、パケット化回路２２および２６から出力されたビデオＰＥＳパケットおよびオーディオＰＥＳパケットを多重してＭＰＥＧ−ＴＳを生成し、生成したＭＰＥＧ−ＴＳをＭＰＥＧバッファ３０を介してＤＶＤユニット３２に与える。ＭＰＥＧ−ＴＳは、ＤＶＤユニット３２によってＭＰＥＧファイル形式でＤＶＤ３４に記録される。
【００１５】
なお、１つのＭＰＥＧファイルに格納されたＭＰＥＧ−ＴＳを“コンテンツ”と定義してもよい。
【００１６】
ＤＶＤ３４に記録されたＭＰＥＧファイルから所望のＭＰＥＧ−ＴＳが再生されると、このＭＰＥＧ−ＴＳはＭＰＥＧバッファ３６を介してデマルチプレクサ３８に与えられる。デマルチプレクサ３８は、与えられたＭＰＥＧ−ＴＳからビデオＰＥＳパケットおよびオーディオＰＥＳパケットを抽出し、ビデオＰＥＳパケットを非パケット化回路４０に、オーディオＰＥＳパケットを非パケット化回路４４にそれぞれ与える。非パケット化回路４０および４４はそれぞれ、ビデオＰＥＳおよびオーディオＰＥＳをビデオＥＳおよびオーディオＥＳに変換し、変換したビデオＥＳおよびオーディオＥＳをＭＰＥＧビデオデコーダ４２およびＭＰＥＧオーディオデコーダ４６に与える。
【００１７】
ＭＰＥＧビデオデコーダ４２は、与えられたビデオＥＳをデコードしてビデオデータを生成し、生成したビデオデータをＮＴＳＣエンコーダ４８に与える。ビデオデータは、ＮＴＳＣエンコーダ４８によってコンポジットビデオ信号に変換され、変換されたコンポジットビデオ信号はテレビジョン受像機５２に出力される。この結果、所望の番組の再生映像が、テレビジョン受像機５２のモニタ画面に表示される。
【００１８】
ＭＰＥＧオーディオエンコーダ４６は、与えられたオーディオＥＳをデコードしてオーディオデータを生成する。生成されたオーディオデータはＤ／Ａ変換器５０によってアナログオーディオ信号に変換され、変換されたオーディオ信号はテレビジョン受像機５２に出力される。この結果、所望の番組の再生音声が、テレビジョン受像機５２のスピーカから出力される。
【００１９】
ＯＳＤ表示命令が与えられると、ＭＰＥＧビデオデコーダ４２は、所望のキャラクタデータをビデオデータに多重する。これによって、テキストメッセージなどのキャラクタデータがテレビジョン受像機５２のモニタ画面にＯＳＤ態様で表示される。
【００２０】
ＤＶＤユニット３２はファイル管理方式としてＵＤＦ方式を採用し、ＤＶＤ３４はデータ領域とファイル管理領域とに分割される。ＭＰＥＧファイルは、データ領域を形成する複数の小エリアに離散的に記録される。ファイル管理領域には、ＭＰＥＧファイルのファイル名とこのＭＰＥＧファイルを形成する部分データが格納された小エリアのアドレス情報とが書き込まれる。
【００２１】
ＭＰＥＧ−ＴＳは、図２に示すようなデータ構造を有する。図２によれば、ＭＰＥＧ−ＴＳは複数のＴＳパケットによって形成され、各々のＴＳパケットにはヘッダ，ビデオＰＥＳパケットまたはオーディオＰＥＳパケット，ＰＳＩ（Ｐｒｏｇｒａｍ  Ｓｐｅｃｉｆｉｃ  Ｉｎｆｏｒｍａｔｉｏｎ）およびＳＩ（Ｓｅｒｖｉｃｅ  Ｉｎｆｏｒｍａｔｉｏｎ：番組配列情報）が含まれる。オーディオＰＥＳパケットは再生映像と再生音声との間で同期が取られるようにビデオＰＥＳパケットの間に挿入される。ＰＳＩには、映像を再生するために必要な情報を格納するためのＰＡＴ，ＣＡＴ，ＰＭＴ，ＮＩＴなどのテーブルが設けられる。
【００２２】
この実施例では、操作パネル５６によって制限設定モードを選択すれば、ＤＶＤ３４に記録されたコンテンツの任意のシーンについて、以下の要領で再生制限を設定することができる。
【００２３】
まず、ＤＶＤ３４からコンテンツを再生すると、先頭時刻設定操作および末尾時刻設定操作が可能となる。任意のシーンの開始部分で先頭時刻設定操作を行い、終了部分で末尾時刻設定操作を行うと、開始部分の時刻および終了部分の時刻がフラッシュメモリ５８に形成された制限設定情報テーブル５８ｔ（図３参照）に設定される。具体的には、シーンの先頭時刻および末尾時刻が、ｔｆａＮおよびｔｅａＮ（Ｎ：インデックス番号）として制限設定情報テーブル５８ｔの制限時間帯情報欄に設定される。
【００２４】
時刻設定が完了すると、図４（Ａ）に示す制限タイプ選択画面がテレビジョン受像機５２から出力される。図４（Ａ）によれば、制限タイプ選択画面は、“制限タイプを選択して下さい”のメッセージと、“１．マスク”および“２．スキップ”のメニュー項目とによって形成される。ここで、“２．スキップ”が選択されると、制限設定情報テーブル５８ｔの制限タイプ欄の下階層に形成されたスキップ欄に識別子“ＯＮ”が記述される。
【００２５】
一方、“１．マスク”が選択されると、制限タイプ選択画面が図４（Ｂ）に示すマスク態様選択画面に更新される。図４（Ｂ）によれば、制限タイプ選択画面は、“マスク態様を選択して下さい”のメッセージと、“映像：ＯＮ  ＯＦＦ”および“音声：ＯＮ  ＯＦＦ”のメニュー項目とによって形成される。制限設定情報テーブル５８ｔの制限タイプ欄の下階層に形成されたマスク欄には、このマスク態様選択画面に対する操作態様に応じた識別子が記述される。つまり、映像について“ＯＦＦ”が選択され、音声について“ＯＮ”が選択されると、識別子“Ａ”がマスク欄に記述される。映像について“ＯＮ”が選択され、音声について“ＯＦＦ”が選択されると、識別子“Ｖ”がマスク欄に記述される。映像および音声の両方について“ＯＮ”が選択されると、識別子“ＡＶ”がマスク欄に記述される。
【００２６】
制限タイプ情報の設定が完了すると、図４（Ｃ）に示す終了問合せ画面がテレビジョン受像機５２から出力される。図４（Ｃ）によれば、終了問合せ画面は、“制限設定モードを継続しますか？それとも終了しますか？”のメッセージと、“１．継続”および“２．終了”のメニュー項目とによって形成される。ここで“１．継続”が選択されると、上述と同様の操作が継続して認められる。一方、“２．終了”が選択されると、図４（Ｄ）に示すパスワード入力画面がテレビジョン受像機５２から出力される。図４（Ｄ）によれば、パスワード入力画面は、“パスワードを入力して下さい”のメッセージと、パスワードを入力する矩形の枠とによって形成される。ここでパスワードが入力されると、入力されたパスワードが制限設定情報テーブル５８ｔのパスワード欄に設定される。
【００２７】
こうして任意のシーンについて制限がかけられたコンテンツを再生する場合、現時点の再生シーンが制限シーンであるかどうかが制限設定情報テーブル５８ｔの設定に基づいて判別される。そして、現時点の再生シーンが制限シーンであれば、制限タイプ欄の記述された識別子に従って再生に制限がかけられる。
【００２８】
つまり、制限タイプ欄の下階層のスキップ欄に識別子“ＯＮ”が記述されていれば、再生部分が制限シーンの末尾部分までスキップされる。制限タイプ欄の下階層のマスク欄に識別子“Ａ”が記述されていれば、コンテンツの音声に代えてビープ音がテレビジョン受像機５２から出力される。制限タイプ欄の下階層のマスク欄に識別子“Ｖ”が記述されていれば、コンテンツの映像にモザイク処理が施される。制限タイプ欄の下階層のマスク欄に識別子“ＡＶ”が記述されていれば、ビープ音が出力されるとともに、映像にモザイク処理が施される。
【００２９】
以上のような再生制限の設定は、制限解除モードの選択によってシーン毎に解除することができる。つまり、制限解除モードが選択されると、図５に示す制限設定情報画面がテレビジョン受像機５２から出力される。図５によれば、各々の項目は、先頭時刻情報，末尾時刻情報，マスク情報およびスキップ情報によって形成される。ここで、任意の項目が選択されると、図４（Ｄ）に示すパスワード入力画面が表示され、パスワードの入力が促される。そして、正規パスワードが入力されると、選択された項目が削除される。
【００３０】
ＣＰＵ５４は、操作パネル５６によって制限設定モードが選択されたとき図６〜図８に示すフロー図に従う処理を実行し、操作パネル５６によって再生モードが選択されたとき図９〜図１０に示すフロー図に従う処理を実行し、そして操作パネル５６によって制限解除モードが選択されたとき図１１に示すフロー図に従う処理を実行する。
【００３１】
図６を参照して、制限設定モードでは、まずステップＳ１でコンテンツ選択処理を実行する。これによって、所望のコンテンツが選択される。ステップＳ３では操作パネル５６によって通常再生操作が行われたかどうかを判断し、ＹＥＳであればステップＳ５で通常再生をＬＳＩ１８に命令する。この結果、ＤＶＤ３４に記録された所望のＭＰＥＧファイルからＭＰＥＧ−ＴＳが再生され、再生されたＭＰＥＧ−ＴＳに上述の処理が施される。テレビジョン受像機５２からは、通常速度の映像および音声が出力される。
【００３２】
ステップＳ７では、操作パネル５６によって特殊再生操作が行われたかどうか判断する。ＹＥＳと判断されると、ステップＳ９で特殊再生をＬＳＩ１８に命令する。デマルチプレクサ３８は、再生されたＭＰＥＧ−ＰＳからのオーディオＰＥＳパケットの抽出を中断するとともに、同じＭＰＥＧ−ＰＳからビデオＰＥＳパケットを間引き態様で抽出する。この結果、順方向または逆方向に高速で動く映像のみがテレビジョン受像機５２から出力される。ステップＳ９の処理が完了すると、ステップＳ３に戻る。このため、通常再生操作が行われるまで特殊再生が継続される。
【００３３】
ステップＳ７でＮＯと判断されたときは、操作パネル５８によって先頭位置決定操作が行われたかどうかをステップＳ１１で判断し、操作パネル５８によって末尾位置決定操作が行われたかどうかをステップＳ１３で判断する。先頭位置決定操作が行われたときはステップＳ１５に進み、現時点で再生されているシーンの時刻情報を先頭時刻として制限設定情報テーブル５８ｔに登録する。末尾位置決定操作が行われたときはステップＳ１７に進み、現時点で再生されているシーンの時刻情報を末尾時刻として制限設定情報テーブル５８ｔに登録する。
【００３４】
ステップＳ１５またはＳ１７の処理が完了すると、１シーンが確定したかどうかをステップＳ１９で判断する。先頭時刻および末尾時刻の一方だけが設定されていないときは、１シーンが未だ確定していないとみなし、ステップＳ３に戻る。これに対して、先頭時刻および末尾時刻の両方が設定されたときは、１シーンが確定したとみなし、ステップＳ２１以降の処理に進む。
【００３５】
なお、１シーンが未確定な状態で先頭位置決定操作が複数回行われた場合、前回の操作に応答して設定された先頭時刻は、今回の操作に応答して設定された先頭時刻によって更新される。１シーンが未確定な状態で末尾位置決定操作が複数回行われた場合も、前回の操作に応答して設定された末尾時刻は、今回の操作に応答して設定された末尾時刻によって更新される。
【００３６】
ステップＳ２１では、ＬＳＩ１８に再生の一時停止を命令する。これによってＭＰＥＧ−ＴＳの再生が中断され、テレビジョン受像機５２の画面表示は動画像から静止画像に変化する。ステップＳ２３では、制限タイプ選択画面のＯＳＤ表示をＬＳＩ１８に命令する。ＭＰＥＧビデオデコーダ４２は対応するキャラクタデータをビデオデータに多重し、この結果、図４（Ａ）に示す制限タイプ選択画面がテレビジョン受像機５２から出力される。ここで、操作パネル５６によって“１．マスク”および“２．スキップ”のいずれか一方が選択されると、ステップＳ２５からステップＳ２７に進み、選択されたタイプが“マスク”および“スキップ”のいずれであるかを判別する。選択されたタイプが“スキップ”であれば、ステップＳ２９で制限設定情報テーブル５８ｔのスキップ欄に識別子“ＯＮ”を記述してステップＳ３７に進むが、選択されたタイプが“マスク”であればステップＳ３１〜Ｓ３５の処理を経てステップＳ３７に進む。
【００３７】
まず、ステップＳ３１でマスク態様選択画面のＯＳＤ表示をＬＳＩ１８に命令する。ＭＰＥＧビデオデコーダ４２は対応するキャラクタデータをビデオデータに多重し、この結果、図４（Ｂ）に示すマスク態様選択画面がテレビジョン受像機５２から出力される。操作パネル５６によって所望のマスク態様が選択されると、ステップＳ３３からステップＳ３５に進み、選択されたマスク態様を示す識別子を制限設定情報テーブル５８ｔに記述する。音声についてのみ“ＯＮ”が選択されると識別子“Ａ”が記述され、映像についてのみ“ＯＮ”が選択されると識別子“Ｖ”が記述され、そして映像および音声の両方について“ＯＮ”が選択されると識別子“ＡＶ”が記述される。
【００３８】
ステップＳ３７では、終了問合せ画面のＯＳＤ表示をＬＳＩ１８に命令する。ＭＰＥＧビデオデコーダ４２は対応するキャラクタデータをビデオデータに多重し、この結果、図４（Ｃ）に示す終了問合せ画面がテレビジョン受像機５２から出力される。操作パネル５６によって“継続”が選択されると、ステップＳ４１でＹＥＳと判断し、ステップＳ４９で通常再生をＬＳＩ１８に命令してからステップＳ７に戻る。
【００３９】
これに対して、操作パネル５６によって“終了”が選択されると、ステップＳ３９でＹＥＳと判断し、ステップＳ４３でパスワード入力画面のＯＳＤ表示をＬＳＩ１８に命令する。ＭＰＥＧビデオデコーダ４２は対応するキャラクタデータをビデオデータに多重し、この結果、図４（Ｄ）に示すパスワード入力画面がテレビジョン受像機５２から出力される。ここで操作パネル５６によって任意のパスワードが入力されると、ステップＳ４５でＹＥＳと判断し、ステップＳ４７でこのパスワードを制限設定情報テーブル５８ｔに設定してから処理を終了する。
【００４０】
図９を参照して、再生モードでは、まずステップＳ５１でコンテンツ選択処理を実行する。これよって所望のコンテンツが選択されると、ステップＳ５３で対応する制限設定情報を制限設定情報テーブル５８ｔから特定する。ステップＳ５５では通常再生操作の有無を判別し、ＹＥＳであればステップＳ５７で通常再生をＬＳＩ１８に命令する。この結果、所望のコンテンツの映像および音声がテレビジョン受像機５２から通常速度で出力される。
【００４１】
ステップＳ５９では特殊再生操作の有無を判別し、ＹＥＳであればステップＳ６１で特殊再生をＬＳＩ１８に命令する。この結果、音声の出力が中断され、順方向または逆方向における映像の動きが速くなる。ステップＳ６１の処理が完了すると、ステップＳ５５に戻る。
【００４２】
特殊再生操作が行われないときは、ステップＳ５９からステップＳ６３に進み、現時点で再生されているシーンが制限シーンであるかどうか判断する。この判断は、現時点の再生シーンの時刻（再生時刻）と制限設定情報テーブル５８ｔに設定されている制限時間帯との比較によって行われる。そして、再生時刻がいずれの制限時間帯にも属しないときは、現時点の再生シーンは制限シーンでないと判断し、ステップＳ６４で制限解除処理をＬＳＩ１８に命令してからステップＳ５９に戻る。後述する音声および／または映像の制限は、ステップＳ６４の命令によって解除される。
【００４３】
これに対して、再生時刻がいずれかの制限時間帯に属するときは、現時点の再生シーンは制限シーンであるとみなし、ステップＳ６５で現時点の再生シーンに割り当てられた制限タイプを判別する。制限設定情報テーブル５８ｔのスキップ欄に識別子“ＯＮ”が記述されていればステップＳ６７に進み、現時点の再生シーンが属する制限時間帯の末尾時刻までのスキップ処理をＬＳＩ１８に命令する。この結果、デマルチプレクサ３８によるビデオＰＥＳパケットおよびオーディオＰＥＳパケットの抽出先が変更され、テレビジョン受像機５２から出力される映像および音声は末尾時刻までスキップされる。ステップＳ６７の処理が完了すると、ステップＳ５９に戻る。
【００４４】
制限設定情報テーブル５８ｔのスキップ欄に識別子“ＯＮ”が記述されていなければ、マスク欄に記述された識別子をステップＳ６９およびＳ７１で判別する。具体的には、現時点の再生シーンに割り当てられた識別子が“Ａ”，“Ｖ”および“ＡＶ”のいずれであるかを判別する。
【００４５】
識別子が“Ａ”であれば、ステップＳ６９でＹＥＳと判断し、ステップＳ７３で音声制限処理をＬＳＩ１８に命令する。この結果、ビープ音データがＭＰＥＧオーディオデコーダ４６から出力される。識別子が“Ｖ”であれば、ステップＳ７１でＹＥＳと判断し、ステップＳ７５で映像制限処理をＬＳＩ１８に命令する。この結果、モザイク処理を施されたビデオデータがＭＰＥＧビデオデコーダ４２から出力される。
【００４６】
識別子が“ＡＶ”であれば、ステップＳ７１でＮＯと判断し、ステップＳ７７で音声制限処理をＬＳＩ１８に命令するとともに、ステップＳ７９で映像制限処理をＬＳＩ１８に命令する。この結果、ビープ音データがＭＰＥＧオーディオデコーダ４６から出力され、モザイク処理を施されたビデオデータがＭＰＥＧビデオデコーダ４２から出力される。なお、音声については、ビープ音の出力に代えてミュートをかけるようにしてもよい。
【００４７】
図１１を参照して、制限解除モードでは、まずステップＳ８１でコンテンツ選択処理を行い、ステップＳ８３で制限設定情報画面の表示をＬＳＩ１８に命令する。この命令には、選択されたコンテンツに対応する制限設定情報（制限設定情報テーブル５８ｔから検出）が含まれる。ＭＰＥＧビデオデコーダ４２は対応するキャラクタデータをビデオデータに多重し、これによって図５に示す制限設定情報画面がテレビジョン受像機５２から出力される。
【００４８】
表示された制限設定情報の中から所望の項目が選択されると、ステップＳ８５からステップＳ８９に進み、パスワード入力画面の表示をＬＳＩ１８に命令する。この結果、図４（Ｄ）に示すパスワード入力画面がテレビジョン受像機５２から出力される。操作パネル５６によってパスワードが入力されると、このパスワードが正規パスワードであるか否かをステップＳ９１で判断する。具体的には、入力されたパスワードを制限設定情報テーブル５８ｔに設定されたパスワードと比較し、両者が一致するか否かを判別する。判別結果が“一致”であればステップＳ９３で所望の項目を削除してステップＳ８３に戻るが、判別結果が“不一致”であれば直接ステップＳ８３に戻る。なお、操作パネル５６によって制限解除モードの終了操作が行われると、ステップＳ８７でＹＥＳと判断し、処理を終了する。
【００４９】
以上の説明から分かるように、ＤＶＤ３４に記録されたコンテンツについて、操作パネル５６によって任意のシーンが指定されると、このシーンの再生が制限されるため、暴力シーンなどの子供にふさわしくないシーンがコンテンツに含まれるときでも、当該コンテンツを安心して鑑賞することができる。また、特殊再生時には再生の制限が禁止されるため、コンテンツの内容を簡便に把握することができる。
【００５０】
なお、この実施例では、コンテンツをＤＶＤに記録するようにしているが、これに代えてハードディスクにコンテンツを記録するようにしてもよい。
【図面の簡単な説明】
【図１】この発明の一実施例を示すブロック図である。
【図２】ＭＰＥＧ−ＴＳのデータ構造の一例を示す図解図である。
【図３】制限設定情報テーブルの一例を示す図解図である。
【図４】（Ａ）は制限タイプ選択画面の一例を示す図解図であり、（Ｂ）はマスク態様選択画面の一例を示す図解図であり、（Ｃ）は終了問合せ画面の一例を示す図解図であり、そして（Ｄ）はパスワード入力画面の一例を示す図解図である。
【図５】制限設定情報画面の一例を示す図解図である。
【図６】図１実施例の動作の一部を示すフロー図である。
【図７】図１実施例の動作の他の一部を示すフロー図である。
【図８】図１実施例の動作のその他の一部を示すフロー図である。
【図９】図１実施例の動作のさらにその他の一部を示すフロー図である。
【図１０】図１実施例の動作の他の一部を示すフロー図である。
【図１１】図１実施例の動作のその他の一部を示すフロー図である。
【符号の説明】
１０…ビデオレコーダ
１２…アナログ放送受信機
２０…ＭＰＥＧビデオエンコーダ
２４…ＭＰＥＧオーディオエンコーダ
２８…マルチプレクサ
３６…ＤＶＤユニット
３８…デマルチプレクサ
４２…ＭＰＥＧビデオデコーダ
４６…ＭＰＥＧオーディオデコーダ
【図１】
2004274188.tif 000003
【図２】
2004274188.tif 000004
【図３】
2004274188.tif 000005
【図４】
2004274188.tif 000006
【図５】
2004274188.tif 000007
【図６】
2004274188.tif 000008
【図７】
2004274188.tif 000009
【図８】
2004274188.tif 000010
【図９】
2004274188.tif 000011
【図１０】
2004274188.tif 000012
【図１１】
2004274188.tif 000013